(57)【要約】  本発明は、天地を逆転させた設置状態においても熱交換型換気装置外へのドレン水の漏水を防止可能な熱交換型換気装置を得ることを目的とする。  熱交換型換気装置は、筐体（１）の内部に、給気風路（２１）内に設けられた給気用送風機と、排気風路（２２）内に設けられた排気用送風機と、給気風路（２１）を流れる給気流と排気風路（２２）を流れる排気流との熱交換を行う熱交換素子（６）と、ドレン水を保持する水保持部品と、を備える。水保持部品は、筐体（１）の内部において、あらかじめ定められた設置方向で筐体が設置される設置状態である通常設置状態において熱交換素子（６）の下方の位置である第１の位置と、鉛直方向において熱交換素子（６）を挟んで第１の位置と反対側の第２の位置と、に配置可能である。
2019146116.tif 000002
【特許請求の範囲】
【請求項１】
筐体の内部に、  室外と室内とを、室外空気を吸い込む室外吸込口と前記室外空気を吹き出す室内吹出口とを通じて繋げる給気風路と、  前記室内と前記室外とを、室内空気を吸い込む室内吸込口と前記室内空気を排出する室外吹出口とを通じて繋げる排気風路と、  前記給気風路内に設けられた給気用送風機と、  前記排気風路内に設けられた排気用送風機と、  前記給気風路を流れる給気流と前記排気風路を流れる排気流との熱交換を行う熱交換素子と、  ドレン水を保持する水保持部品と、  を備え、  前記水保持部品は、前記筐体の内部において、あらかじめ定められた設置方向で前記筐体が設置される設置状態である通常設置状態において前記熱交換素子の下方の位置である第１の位置と、鉛直方向において前記熱交換素子を挟んで前記第１の位置と反対側の第２の位置と、に配置可能であること、  を特徴とする熱交換型換気装置。
【請求項２】
前記水保持部品は、  前記通常設置状態では、前記通常設置状態において前記熱交換素子の下方に配置される前記筐体の第１面の内面に固定され、  前記通常設置状態に対して前記筐体の天地を逆転させた方向で前記筐体が設置される設置状態である天地逆転設置状態では、前記筐体において前記第１面に対向する第２面の内面に固定されること、  を特徴とする請求項１に記載の熱交換型換気装置。
【請求項３】
前記第１面の内面に固定されて前記熱交換素子を固定する第１素子固定部を備え、  前記水保持部品は、前記第１素子固定部が一体に形成された一体成型品であること、  を特徴とする請求項２に記載の熱交換型換気装置。
【請求項４】
前記第２面の内面に固定されて前記熱交換素子を固定する第２素子固定部を備え、  前記第１素子固定部は、前記第２面の内面における前記第２素子固定部の固定位置に固定可能であり、  前記第２素子固定部は、前記第１面の内面における前記第１素子固定部の固定位置に固定可能であること、  を特徴とする請求項３に記載の熱交換型換気装置。
【請求項５】
前記第１面の内面に固定されて前記熱交換素子を固定する第１素子固定部と、  前記第２面の内面に固定されて前記熱交換素子を固定する第２素子固定部と、  を備え、  前記通常設置状態では、前記水保持部品は、前記第１素子固定部に固定され、  前記天地逆転設置状態では、前記水保持部品は、前記第２素子固定部に固定されること、  を特徴とする請求項２に記載の熱交換型換気装置。
【発明の詳細な説明】
【技術分野】
【０００１】  本発明は、給気流と排気流との間で全熱交換を行わせつつ換気を行う熱交換型換気装置に関する。
【背景技術】
【０００２】  従来、室内の空調エネルギーを低減するために、室内の温度調節を行う空気調和機とともに、室内から室外に排気する室内空気と、室外から室内に給気する室外空気との間で温度および湿度を熱交換素子で交換しつつ換気する熱交換型換気装置を用いる空気調和システムが活用されている。【０００３】  熱交換型換気装置による熱交換換気を用いることで、空調が必要な夏場および冬場での空気調和機における空調の負荷を低減することが可能である。しかしながら、高湿度の室外空気が熱交換型換気装置を通って室内に給気される場合、および室内空気と室外空気との温度差が大きい条件で熱交換型換気装置を通して換気が行われる場合には、熱交換型換気装置の内部で水分が凝集および凝縮してドレン水となり、熱交換型換気装置の外に流出するという問題があった。【０００４】  これらの問題を解決するために、例えば特許文献１では、筐体の内部のうち熱交換型換気装置を設置した際に鉛直下方となる部分である底面部において、熱交換素子のうち給気流が流入する面に設置された給気側エアフィルターの下側にドレンパンが設置された熱交換型換気装置が開示されている。特許文献１の熱交換型換気装置は、高湿度の室外空気が熱交換素子へ流入する場合、および室内空気と室外空気との温度差が大きい条件で熱交換型換気装置を通して換気が行われる場合に発生するドレン水を受け止めて貯留することで、熱交換型換気装置の外部へのドレン水の漏水を防止している。【０００５】  通常、熱交換型換気装置は、熱交換型換気装置ごとにあらかじめ設定された既定の方向の設置状態である通常設置状態で設置される。一方、熱交換型換気装置には、熱交換型換気装置が設置される天井内の構造に対応して、通常設置状態に対して熱交換型換気装置の天地を逆転させた状態に設置する天地逆転設置状態での設置が可能なものがある。
【先行技術文献】
【特許文献】
【０００６】
【特許文献１】特許第５８２３１３９号公報
【発明の概要】
【発明が解決しようとする課題】
【０００７】  しかしながら、特許文献１の熱交換型換気装置は、通常設置状態において内部で発生したドレン水を受け止めて貯留できるが、天地逆転設置状態での設置が可能な熱交換型換気装置におけるドレン水の貯留については言及されていない。【０００８】  本発明は、上記に鑑みてなされたものであって、天地を逆転させた設置状態においても熱交換型換気装置外へのドレン水の漏水を防止可能な熱交換型換気装置を得ることを目的とする。
【課題を解決するための手段】
【０００９】  上述した課題を解決し、目的を達成するために、本発明にかかる熱交換型換気装置は、筐体の内部に、室外と室内とを、室外空気を吸い込む室外吸込口と室外空気を吹き出す室内吹出口とを通じて繋げる給気風路と、室内と室外とを、室内空気を吸い込む室内吸込口と室内空気を排出する室外吹出口とを通じて繋げる排気風路と、を備える。また、熱交換型換気装置は、給気風路内に設けられた給気用送風機と、排気風路内に設けられた排気用送風機と、給気風路を流れる給気流と排気風路を流れる排気流との熱交換を行う熱交換素子と、ドレン水を保持する水保持部品と、を備える。水保持部品は、筐体の内部において、あらかじめ定められた設置方向で筐体が設置される設置状態である通常設置状態において熱交換素子の下方の位置である第１の位置と、鉛直方向において熱交換素子を挟んで第１の位置と反対側の第２の位置と、に配置可能である。
【発明の効果】
【００１０】  本発明にかかる熱交換型換気装置は、天地を逆転させた設置状態においても熱交換型換気装置外へのドレン水の漏水を防止可能である、という効果を奏する。
【図面の簡単な説明】
【００１１】
【図１】本発明の実施の形態１にかかる熱交換型換気装置を第２水平板側から見た分解斜視図
【図２】本発明の実施の形態１にかかる熱交換型換気装置を第１水平板側から見た分解斜視図
【図３】本発明の実施の形態１にかかる熱交換型換気装置の通常設置状態での構成を簡略化して示す模式図
【図４】本発明の実施の形態１にかかる熱交換型換気装置の通常設置状態での熱交換素子の周りの構成を詳細に示す模式図
【図５】本発明の実施の形態１にかかる熱交換型換気装置の天地逆転設置状態での構成を簡略化して示す模式図であり、ドレンパンの位置が通常設置状態から変更された場合の模式図
【図６】本発明の実施の形態１にかかる熱交換型換気装置の天地逆転設置状態での熱交換素子の周りの構成を詳細に示す模式図であり、ドレンパンの位置が変更された場合の模式図
【図７】本発明の実施の形態２にかかる熱交換型換気装置の天地逆転設置状態での熱交換素子の周りの構成を詳細に示す模式図
【図８】本発明の実施の形態２にかかる熱交換型換気装置の天地逆転設置状態での第２素子固定レールおよびドレンパンの構成を拡大して示す模式図
【発明を実施するための形態】
【００１２】  以下に、本発明の実施の形態にかかる熱交換型換気装置を図面に基づいて詳細に説明する。なお、この実施の形態によりこの発明が限定されるものではない。
【００１３】実施の形態１．  図１は、本発明の実施の形態１にかかる熱交換型換気装置１００を第２水平板１２側から見た分解斜視図である。図２は、本発明の実施の形態１にかかる熱交換型換気装置１００を第１水平板１１側から見た分解斜視図である。図３は、本発明の実施の形態１にかかる熱交換型換気装置１００の通常設置状態での構成を簡略化して示す模式図である。図４は、本発明の実施の形態１にかかる熱交換型換気装置１００の通常設置状態での熱交換素子６の周りの構成を詳細に示す模式図である。なお、符号ＯＡは外気（Ｏｕｔｄｏｏｒ  Ａｉｒ）、符号ＳＡは給気（Ｓｕｐｐｌｙ  Ａｉｒ）、符号ＲＡは還気（Ｒｅｔｕｒｎ  Ａｉｒ）、符号ＥＡは排気（Ｅｘｈａｕｓｔ  Ａｉｒ）を示している。図３および図４においては、あらかじめ設定された既定の方向の設置状態である通常設置状態で熱交換型換気装置１００が設置された場合について示している。また、図３においては、熱交換素子６と給気側エアフィルター８と排気側エアフィルター９とドレンパン１０との位置関係の理解の容易のため、室外吸込口１７と室内吹出口１８と室内吸込口１９と室外吹出口２０との配置を図１および図２とは異ならせている。以下の説明において、上下方向は、通常設置状態で熱交換型換気装置１００が設置された場合の鉛直方向における上下方向である。
【００１４】  図１に示す熱交換型換気装置１００は、室内の天井に設置される天井埋め込み型の熱交換型換気装置であり、筐体１の内部に熱交換素子６を有する空調用の熱交換型換気装置である。筐体１は、複数の板金部品によって構成されている。すなわち筐体１は、通常設置状態において熱交換素子６の鉛直下方に水平に配置される上下板である第１水平板１１と、通常設置状態において熱交換素子６の鉛直上方に水平に配置される上下板である第２水平板１２と、４つの側板である第１側板１３、第２側板１４、第３側板１５および第４側板１６と、を備える六面体の箱型に構成されている。すなわち、熱交換型換気装置１００は、板金で構成された直方体形の筐体１を備える。また、第１側板１３には、後述するメンテナンス口２３が設けられており、メンテナンス口２３を塞ぐメンテナンスカバー１３ａが着脱可能とされている。メンテナンスカバー１３ａを取り外すことで、メンテナンス口２３が露出する。熱交換型換気装置１００は、天井裏４２に隠蔽された状態で設置されている。図３および図４においては、天井４１の上の領域が天井裏４２であり、天井４１の下の領域が室内４３である。
【００１５】  熱交換型換気装置１００は、前述の熱交換素子６の他に、筐体１の側面を構成する第４側板１６に並べて設けられた室外吹出口２０および室外吸込口１７と、筐体１において第４側板１６と対向する側面を構成する第２側板１４に並べて設けられた室内吹出口１８および室内吸込口１９と、を備える。熱交換型換気装置１００は、室外と室内４３とを、室外空気を吸い込む室外吸込口１７と室外空気を吹き出す室内吹出口１８とを通じて繋げる給気風路２１を備える。また、熱交換型換気装置１００は、室内４３と室外とを、室内空気を吸い込む室内吸込口１９と室内空気を排出する室外吹出口２０とを通じて繋げる排気風路２２を備える。すなわち、熱交換型換気装置１００は、熱交換素子６を介して室外吸込口１７と室内吹出口１８とを結ぶ給気風路２１と、熱交換素子６を介して室内吸込口１９と室外吹出口２０とを結ぶ排気風路２２と、を備える。給気風路２１と排気風路２２とは、互いに独立した風路とされている。なお、室外吸込口１７と室内吹出口１８と室内吸込口１９と室外吹出口２０の配置は特に限定されない。
【００１６】  給気風路２１は、室外の空気である外気ＯＡを室内へ給気するための風路であり、室外吸込口１７と熱交換素子６との間に形成された熱交換前給気風路２１ａと、熱交換素子６と室内吹出口１８との間に形成された熱交換後給気風路２１ｂと、熱交換素子６内の給気風路２１である素子内給気風路２１ｃと、を有している。すなわち、熱交換前給気風路２１ａは、給気風路２１において熱交換素子６よりも上流側であって室外に連通する上流側の給気風路である。また、熱交換後給気風路２１ｂは、給気風路２１において熱交換素子６よりも下流側であって室内に連通する下流側の給気風路である。
【００１７】  排気風路２２は、室内空気である還気ＲＡを室外へ排気するための風路であり、室内吸込口１９と熱交換素子６との間に形成された熱交換前排気風路２２ａと、熱交換素子６と室外吹出口２０との間に形成された熱交換後排気風路２２ｂと、熱交換素子６内の排気風路２２である素子内排気風路２２ｃと、を有している。すなわち、熱交換前排気風路２２ａは、熱交換素子６よりも上流側であって室内に連通する上流側の排気風路である。また、熱交換後排気風路２２ｂは、熱交換素子６よりも下流側であって室外に連通する下流側の排気風路である。
【００１８】  熱交換型換気装置１００は、給気風路２１の入口端から出口端へ向かう給気流の流れ、すなわち室外吸込口１７から室内吹出口１８へ向かう給気流の流れを生成する給気用送風機２を給気風路２１に備える。また、熱交換型換気装置１００は、排気風路２２の入口端から出口端へ向かう排気流の流れ、すなわち室内吸込口１９から室外吹出口２０へ向かう排気流の流れを生成する排気用送風機４を排気風路２２に備える。
【００１９】  全熱交換器である熱交換素子６は、直方体形状を呈し、素子内給気風路２１ｃと素子内排気風路２２ｃとが互いに独立して形成されている。素子内給気風路２１ｃは、平板紙上に波板紙が接着されたコルゲートシートによる多層構造をなす平板状の給気風路である。素子内排気風路２２ｃは、平板紙上に波板紙が接着されたコルゲートシートによる多層構造をなす平板状の排気風路である。素子内排気風路２２ｃは、素子内給気風路２１ｃを構成しているコルゲートシートと同様のコルゲートシートまたは素子内給気風路２１ｃを構成しているコルゲートシートと波板紙の波形状が違うコルゲートシートを用いて、素子内給気風路２１ｃと１段置き、且つ、直交する向きに積層されている。なお、以下の説明において、平板紙の積層方向を、単に積層方向という。
【００２０】  すなわち、素子内給気風路２１ｃと素子内排気風路２２ｃとは、熱交換素子６において交差した状態に設けられている。これにより、熱交換素子６は、給気風路２１の熱交換器給気風路を流れる空気と、排気風路２２の熱交換器排気風路を流れる空気との間で熱および湿度を交換する全熱交換が可能となっている。本実施の形態１においては、素子内給気風路２１ｃと素子内排気風路２２ｃとは、熱交換素子６において直交して設けられている。すなわち、熱交換素子６では、素子内給気風路２１ｃを流れる空気の進行方向と、素子内排気風路２２ｃを流れる空気の進行方向とは、直交している。
【００２１】  熱交換素子６の各辺のうち、積層方向に沿って延びる辺は、枠部７に覆われている。熱交換素子６は、枠部７のうち熱交換素子６と対向する面の反対面に設けられて積層方向に沿って延びる外側突起が、熱交換素子６を固定する機能と熱交換素子６を筐体１の内部に挿入する際のガイドレールの機能とを兼ねる素子固定レール３６に嵌め込まれて固定されている。
【００２２】  素子固定レール３６には、通常設置状態において熱交換素子６の下部を固定する第１素子固定部である第１素子固定レール３２と、通常設置状態において熱交換素子６の上部を固定する第２素子固定部である第２素子固定レール３３と、熱交換素子６における第２側板１４側の側部を固定する第３素子固定部である第３素子固定レール３４と、熱交換素子６における第４側板１６側の側部を固定する第４素子固定部である第４素子固定レール３５と、がある。第１素子固定レール３２は、嵌め合いまたはねじ止めといった固定方法によって筐体１の内部において第１水平板１１の内面に固定されている。第２素子固定レール３３は、嵌め合いまたはねじ止めといった固定方法によって、筐体１の内部において第２水平板１２の内面に固定されている。第３素子固定レール３４および第４素子固定レール３５は、嵌め合いまたはねじ止めといった固定方法によって、筐体１内において筐体１に固定された不図示の構成部に固定されている。したがって、熱交換素子６は、熱交換素子６を固定するための素子固定レール３６を介して、筐体１に固定されている。
【００２３】  給気用送風機２は、熱交換後給気風路２１ｂ内において室内吹出口１８と連結され、給気用送風機２を駆動するための給気用モーター３を内部に備えている。排気用送風機４は、熱交換後排気風路２２ｂ内において室外吹出口２０と連結され、排気用送風機４を駆動するための排気用モーター５を内部に備えている。
【００２４】  給気風路２１において、熱交換素子６における給気流が流入する面には、給気側エアフィルター８が着脱可能に設置されている。給気側エアフィルター８は、室外空気である外気ＯＡに含まれる塵埃の目詰まりによる熱交換素子６の性能低下を防止するために、熱交換素子６に吸い込まれる外気ＯＡの塵埃を取り除くエアフィルターである。したがって、給気側エアフィルター８は、給気風路２１における熱交換素子６よりも上流側に設置されている。
【００２５】  排気風路２２において、熱交換素子６における排気流が流入する面には、排気側エアフィルター９が着脱可能に設置されている。排気側エアフィルター９は、室内空気である還気ＲＡに含まれる塵埃の目詰まりによる熱交換素子６の性能低下を防止するために、熱交換素子６に吸い込まれる還気ＲＡの塵埃を取り除くエアフィルターである。したがって、排気側エアフィルター９は、排気風路２２における熱交換素子６よりも上流側に設置されている。
【００２６】  給気側エアフィルター８および排気側エアフィルター９は、熱交換素子６に取り付けられているフィルター保持レール３１ａおよびフィルター保持レール３１ｂによって保持されている。なお、フィルター保持レール３１ａおよびフィルター保持レール３１ｂは、熱交換素子６を固定する素子固定レール３６または筐体１に取り付けられてもよい。
【００２７】  熱交換型換気装置１００では、図３に示すように、筐体１の内部のうち熱交換型換気装置１００が通常設置状態で設置された際に熱交換素子６よりも鉛直下方となる位置である第１の位置であって、水平面において熱交換素子６、給気側エアフィルター８および排気側エアフィルター９を包含する領域に、ドレンパン１０が配置されている。熱交換型換気装置１００では、第２水平板１２および第１水平板１１は、水平に配置されている。
【００２８】  霧などの水滴状の高湿度の給気流が熱交換素子６に流入する場合には、水分は給気側エアフィルター８で凝集および凝縮してドレン水５１となる。給気側エアフィルター８で発生したドレン水５１は、給気側エアフィルター８から重力の方向に沿って滴下する。また、給気側エアフィルター８で発生したドレン水５１は、給気側エアフィルター８の下部に流れ、給気側エアフィルター８に接続している部品、フィルター保持レール３１ｂなどの給気側エアフィルター８に接続している部品と給気側エアフィルター８との間の隙間などを伝って下方に流れる。
【００２９】  また、給気側エアフィルター８が設けられていない場合には、水分は熱交換素子６における給気流が流入する面で凝集および凝縮してドレン水５１となる。熱交換素子６における給気流が流入する面で発生したドレン水５１は、熱交換素子６から重力の方向に沿って滴下する。また、熱交換素子６における給気流が流入する面で発生したドレン水５１は、熱交換素子６の下部に流れ、フィルター保持レール３１ｂなどの熱交換素子６に接続している部品、熱交換素子６に接続している部品と熱交換素子６との間の隙間などを伝って下方に流れる。
【００３０】  また、給気流と排気流との温度差が大きく、熱交換素子６で熱交換を行った際に結露水が発生する場合には、室内が冷房されている条件では給気流側の熱交換素子６内で、また室内が暖房されている条件下では排気流側の熱交換素子６内で、水分が凝集および凝縮してドレン水５１が発生する。
【００３１】  熱交換素子６内で発生したドレン水５１は、室内が冷房されている条件下では、熱交換素子６内の素子内給気風路２１ｃ内を通って熱交換素子６における給気流が流入する面に到達する。そして、ドレン水５１は、給気側エアフィルター８に滴下し、さらに給気側エアフィルター８から重力の方向に沿って滴下する。また、ドレン水５１は、給気側エアフィルター８の下部に流れ、フィルター保持レール３１ｂなどの給気側エアフィルター８に接続している部品、給気側エアフィルター８に接続している部品と給気側エアフィルター８との間の隙間などを伝って下方に流れる。
【００３２】  熱交換素子６内で発生したドレン水５１は、室内が暖房されている条件下では、熱交換素子６内の素子内排気風路２２ｃ内を通って熱交換素子６における排気流が流入する面に到達する。そして、ドレン水５１は、排気側エアフィルター９に滴下し、さらに排気側エアフィルター９から重力の方向に沿って滴下する。また、ドレン水５１は、排気側エアフィルター９の下部に流れ、排気側エアフィルター９、フィルター保持レール３１ｂなどの排気側エアフィルター９に接続している部品、排気側エアフィルター９に接続している部品と排気側エアフィルター９との間の隙間などを伝って下方に流れる。
【００３３】  ドレンパン１０は、上記のように熱交換素子６、給気側エアフィルター８および排気側エアフィルター９から滴下および下方に流れるドレン水５１を受け止めて貯留して保持することで、熱交換型換気装置１００の外部へのドレン水５１の漏水を防止する水保持部品として機能する。
【００３４】  熱交換型換気装置１００では、ドレンパン１０は、熱交換型換気装置１００が通常設置状態で設置された際に熱交換素子６の鉛直下方となる筐体１の内面部分である第１水平板１１の内面上において、第１素子固定レール３２を囲んで配置されている。第１素子固定レール３２は、ドレンパン１０と一体化されている。すなわち、ドレンパン１０は、第１素子固定レール３２が一体に形成された一体成型品である。ドレンパン１０は、樹脂成形により第１素子固定レール３２と一体化して形成することができる。また、樹脂または金属などの材料で形成された第１素子固定レール３２に対するインサート成形により、第１素子固定レール３２と一体型となったドレンパン１０を形成することができる。ドレンパン１０が第１素子固定レール３２と一体とされることで、筐体１内の構成が簡略化され、熱交換型換気装置１００の組み立て時に第１素子固定レール３２と同時にドレンパン１０を第１水平板１１の内面に取り付けることができる。
【００３５】  第１素子固定レール３２は嵌め合いまたはねじ止めといった固定方法によって第１水平板１１に固定されており、第１素子固定レール３２が第１水平板１１に固定されることにより、ドレンパン１０が第１水平板１１に固定されている。したがって、ドレンパン１０は、第１素子固定レール３２を介して筐体１の第１水平板１１に固定されている。
【００３６】  なお、上記においては、水平面において熱交換素子６、給気側エアフィルター８および排気側エアフィルター９を包含する領域に、ドレンパン１０が配置されている場合について示したが、水平面において熱交換素子６、給気側エアフィルター８および排気側エアフィルター９を包含する領域の一部にドレンパン１０が配置された構成とすることも可能である。ただし、熱交換型換気装置１００の外部へのドレン水５１の漏水を防止する観点から、ドレンパン１０は、水平面において熱交換素子６、給気側エアフィルター８および排気側エアフィルター９を包含する領域に配置されることが好ましい。
【００３７】  上述した構成を有する熱交換型換気装置１００では、室外空気である外気ＯＡは、室外から、建物の外部に連通した不図示のダクト配管によって構成された外気取り入れ風路を介して、室外吸込口１７から熱交換前給気風路２１ａへ流入して給気流となる。熱交換前給気風路２１ａへ流入した給気流は、素子内給気風路２１ｃ、熱交換後給気風路２１ｂ、給気用送風機２、熱交換後給気風路２１ｂ、室内吹出口１８、室内に連通した不図示のダクトからなる給気風路を経て室内へ吹き出される。なお、給気用送風機２の吹き出し口と室内吹出口１８とが接続されてもよい。
【００３８】  一方、熱交換型換気装置１００では、室内空気である還気ＲＡは、室内から、室内に連通した不図示のダクトからなる排気風路を介して、室内吸込口１９から熱交換前排気風路２２ａへ流入して排気流となる。熱交換前排気風路２２ａへ流入した排気流は、素子内排気風路２２ｃ、熱交換後排気風路２２ｂ、排気用送風機４および室外に連通した不図示のダクト配管によって構成された排気吐出風路を経て排気ＥＡとして、室外へ吹き出される。
【００３９】  ここで、通常設置状態に対して熱交換型換気装置１００の天地を逆転させた状態に、すなわち通常設置状態に対して筐体１の天地を逆転させた状態に設置する天地逆転設置状態で熱交換型換気装置１００が設置された場合を考える。天地逆転設置状態での熱交換型換気装置の設置を天地逆転設置と呼ぶ。天地逆転設置は、例えば熱交換型換気装置が設置される天井内の構造に起因して、通常設置状態では天井内の梁および他の機器などに干渉するといった理由で熱交換型換気装置の点検口にアクセスできない場合、また同一フロアの天井内に複数台の熱交換型換気装置が設置される場合に、天井に設置される１箇所の点検口で２台分の点検を可能とする場合などに設置される設置形態である。
【００４０】  この場合、霧などの水滴状の高湿度の給気流が熱交換素子６に流入する場合には、水分は給気側エアフィルター８で凝集および凝縮してドレン水５１となる。給気側エアフィルター８で発生したドレン水５１は、給気側エアフィルター８、枠部７などの給気側エアフィルター８に接続している部品、給気側エアフィルター８に接続している部品と給気側エアフィルター８との間の隙間、熱交換素子６の外周面、素子内給気風路２１ｃなどを伝って、熱交換素子６の下方に滴下する。
【００４１】  また、給気側エアフィルター８が設けられていない場合には、水分は熱交換素子６における給気流が流入する面で凝集および凝縮してドレン水５１となる。熱交換素子６における給気流が流入する面で発生したドレン水５１は、熱交換素子６の外周面、素子内給気風路２１ｃ、枠部７などの熱交換素子６に接続している部品と熱交換素子６との間の隙間などを伝って、熱交換素子６の下方に滴下する。
【００４２】  また、給気流と排気流との温度差が大きく、熱交換素子６で熱交換を行った際に結露水が発生する場合、室内が冷房されている条件下では給気流側の熱交換素子６内で、すなわち素子内給気風路２１ｃ内で水分が凝集および凝縮してドレン水５１が発生する。また、室内が暖房されている条件下では排気流側の熱交換素子６内で、すなわち素子内排気風路２２ｃ内で水分が凝集および凝縮してドレン水５１が発生する。
【００４３】  熱交換素子６内で発生したドレン水５１は、室内が冷房されている条件下では、熱交換素子６内の素子内給気風路２１ｃ内を通って熱交換素子６における給気流が流出する面に到達する。そして、ドレン水５１は、熱交換素子６における給気流が流出する面から重力の方向に沿って滴下する。また、ドレン水５１は、枠部７などの熱交換素子６に接続している部品、または熱交換素子６に接続している部品と熱交換素子６との間の隙間などを伝って、熱交換素子６の下方に流れる。
【００４４】  熱交換素子６内で発生したドレン水５１は、室内が暖房されている条件下では、熱交換素子６内の素子内排気風路２２ｃ内を通って熱交換素子６における排気流が流出する面に到達する。そして、熱交換素子６における排気流が流出する面から重力の方向に沿って滴下する。また、ドレン水５１は、枠部７などの熱交換素子６に接続している部品、または熱交換素子６に接続している部品と熱交換素子６との間の隙間などを伝って、熱交換素子６の下方に流れる。
【００４５】  そこで、熱交換型換気装置１００は、図５および図６に示すようにドレンパン１０の位置を、天地逆転設置状態における熱交換素子６の鉛直下方、すなわち通常設置状態における熱交換素子６の鉛直上方の位置に取り付けることが可能とされている。図５は、本発明の実施の形態１にかかる熱交換型換気装置１００の天地逆転設置状態での構成を簡略化して示す模式図であり、ドレンパン１０の位置が通常設置状態から変更された場合の模式図である。図６は、本発明の実施の形態１にかかる熱交換型換気装置１００の天地逆転設置状態での熱交換素子６の周りの構成を詳細に示す模式図であり、ドレンパン１０の位置が変更された場合の模式図である。図５は、図３に対応する図である。図６は、図４に対応する図である。
【００４６】  熱交換型換気装置１００が天地逆転設置状態で設置される場合には、通常設置状態で設置される場合において鉛直上方に配置される第２水平板１２は、鉛直下方に配置される。また、通常設置状態で設置される場合に鉛直下方に配置される第１水平板１１が、鉛直上方に配置される。そして、熱交換型換気装置１００が天地逆転設置状態で設置される場合には、ドレンパン１０は、第２水平板１２に取り付けられて、熱交換素子６の鉛直下方の位置に取り付けられる。すなわち、熱交換型換気装置１００が天地逆転設置状態で設置される場合には、ドレンパン１０は、筐体１の内部のうち熱交換素子６よりも鉛直下方となる位置である第２の位置であって、水平面において熱交換素子６、給気側エアフィルター８および排気側エアフィルター９を包含する領域に配置されている。熱交換型換気装置１００では、第２水平板１２および第１水平板１１は、水平に配置されている。第２の位置は、鉛直方向において熱交換素子６を挟んで第１の位置と反対側の位置である。
【００４７】  上述したように、ドレンパン１０は、第１素子固定レール３２と一体化されており、第１素子固定レール３２が第１水平板１１に固定されることにより第１水平板１１に固定されている。通常設置状態において第１水平板１１に取り付けられているドレンパン１０を第２水平板１２に取り付ける場合には、まずメンテナンスカバー１３ａを取り外し、熱交換型換気装置１００の内部の部品のメンテナンスを行うために設けられるメンテナンス口２３から熱交換素子６を筐体１の外部に取り外す。つぎに、熱交換素子６が筐体１の外部に取り外された状態において、ドレンパン１０と一体化されている第１素子固定レール３２を第１水平板１１から取り外す。また、熱交換素子６が筐体１の外部に取り外された状態において、通常設置状態において第２水平板１２に固定されている第２素子固定レール３３を第２水平板１２から取り外す。そして、ドレンパン１０と一体化されている第１素子固定レール３２を第２水平板１２に取り付ける。また、第２素子固定レール３３を第１水平板１１に取り付ける。
【００４８】  第１素子固定レール３２と第２素子固定レール３３とは、構造および寸法が同じとされており、第２水平板１２または第１水平板１１への固定方法が同じ固定方法とされている。これにより、熱交換型換気装置１００では、通常設置状態における第１水平板１１への固定方法と同じ方法で第２水平板１２に第１素子固定レール３２を固定し、天地逆転設置状態における熱交換素子６の鉛直下方の位置に第１素子固定レール３２およびドレンパン１０を配置することが可能である。したがって、熱交換型換気装置１００では、通常設置状態および天地逆転設置状態の両方の状態において、筐体１の内部における熱交換素子６、給気側エアフィルター８および排気側エアフィルター９の鉛直下方の位置にドレンパン１０を配置可能である。
【００４９】  このように熱交換型換気装置１００では、筐体１における通常設置状態および天地逆転設置状態で鉛直方向において対向する２つの内面、すなわち第１面である第１水平板１１の内面と第１面に対向する第２面である第２水平板１２の内面とに対してドレンパン１０が着脱可能である。これにより、熱交換型換気装置１００では、通常設置状態および天地逆転設置状態のいずれの場合でも、熱交換素子６、給気側エアフィルター８および排気側エアフィルター９の鉛直下方の位置にドレンパン１０を配置可能である。
【００５０】  すなわち、熱交換型換気装置１００では、ドレンパン１０は、筐体１の内部において、あらかじめ定められた設置方向で筐体１が設置される設置状態である通常設置状態において熱交換素子６の下方の位置である第１の位置と、鉛直方向において熱交換素子６を挟んで第１の位置と反対側の第２の位置と、に配置可能である。通常設置状態において筐体１の内部における熱交換素子６の下方の第１水平板１１の内面に取り付けられた状態は、ドレンパン１０が第１の位置に配置された状態である。天地逆転設置状態において筐体１の内部における熱交換素子６の下方の第２水平板１２の内面に取り付けられた状態は、ドレンパン１０が第２の位置に配置された状態である。
【００５１】  これにより、熱交換型換気装置１００は、上述したように天地逆転設置状態の場合に発生するドレン水５１を、熱交換素子６、給気側エアフィルター８および排気側エアフィルター９の鉛直下方の位置に配置したドレンパン１０で、受け止めて貯留し、保持することができる。これにより、熱交換型換気装置１００は、天地逆転設置状態の場合においてドレン水５１が熱交換型換気装置１００の外部へ流れ出ることを防止できる。
【００５２】  一方、図３および図４に示した構成の熱交換型換気装置１００を単純に天地逆転設置した場合には、ドレンパン１０は、天地逆転設置状態での筐体１の内部において熱交換素子６、給気側エアフィルター８および排気側エアフィルター９の鉛直上方に配置されるため、ドレン水５１を受け止めて貯留することができない。
【００５３】  なお、ドレンパン１０のサイズは、上記の積層方向に対応する方向が長手方向であることが多い。このため、熱交換型換気装置１００の設置現場でのドレンパン１０の取り外し作業および取り付け作業を考慮すると、ドレンパン１０の幅寸法は、熱交換型換気装置１００の内部の部品のメンテナンスを行うために設けられるメンテナンス口２３の対角長さ未満であることが好ましい。この場合のドレンパン１０の幅方向は、第２側板１４と第４側板１６とを結ぶ方向である。ドレン水５１の発生量が多い条件で運転される熱交換型換気装置１００の場合、メンテナンス口２３から取り出し不可能なほどドレンパン１０の幅寸法が大きくなる場合が考えられる。この場合は、ドレンパン１０を分割可能な仕様とすることで、ドレンパン１０の取り外しおよび取り付けが可能となる。
【００５４】  上述したように、本実施の形態１にかかる熱交換型換気装置１００は、天地逆転設置が可能な熱交換型換気装置である。そして、熱交換型換気装置１００は、天地逆転設置状態の場合には水保持部品であるドレンパン１０の配置を熱交換素子６、給気側エアフィルター８および排気側エアフィルター９の鉛直下方の位置に変更可能である。これにより、熱交換型換気装置１００は、高湿度の給気流が熱交換素子６に流入する場合に生じるドレン水５１、および温度差が大きい給気流と排気流との熱交換が熱交換素子６で行われた場合に熱交換素子６で結露が発生することによって生じるドレン水５１を、天地逆転設置時においてもドレンパン１０で受け止めて貯留し、保持することができる。
【００５５】  したがって、熱交換型換気装置１００は、天地逆転設置状態の場合においても熱交換型換気装置１００の外部へのドレン水５１の漏水を防止することができる。
【００５６】実施の形態２．  図７は、本発明の実施の形態２にかかる熱交換型換気装置の天地逆転設置状態での熱交換素子６の周りの構成を詳細に示す模式図である。図８は、本発明の実施の形態２にかかる熱交換型換気装置の天地逆転設置状態での第２素子固定レール３３ａおよびドレンパン１０ａの構成を拡大して示す模式図である。本実施の形態２にかかる熱交換型換気装置が上述した実施の形態１にかかる熱交換型換気装置１００と異なる点は、素子固定レールとして第１素子固定レール３２の代わりに第１素子固定レール３２ａを備え、素子固定レールとして第２素子固定レール３３の代わりに第２素子固定レール３３ａを備え、ドレンパン１０の代わりにドレンパン１０ａを備えることである。
【００５７】  第１素子固定レール３２ａは、実施の形態１にかかる熱交換型換気装置１００と同様に、通常設置状態において第１水平板１１に固定されるとともに熱交換素子６の下部を固定する。第１素子固定レール３２ａは、第１水平板１１の内面に対してスポット溶接、嵌め合いまたはねじ止めなどの固定方法で固定されている。そして、第１素子固定レール３２ａは、天地逆転設置状態においてドレンパン１０ａを熱交換素子６、給気側エアフィルター８および排気側エアフィルター９の鉛直下方の位置に付け替える際にも第１水平板１１から外されない。
【００５８】  第２素子固定レール３３ａは、実施の形態１にかかる熱交換型換気装置１００と同様に、通常設置状態において第２水平板１２に固定されるとともに熱交換素子６の上部を固定する。第２素子固定レール３３ａは、通常設置状態において第２水平板１２の内面に対してスポット溶接、嵌め合いまたはねじ止めなどの固定方法で固定されている。そして、第２素子固定レール３３ａは、天地逆転設置状態においてドレンパン１０ａを熱交換素子６、給気側エアフィルター８および排気側エアフィルター９の鉛直下方の位置に付け替える際にも第２水平板１２から外されない。
【００５９】  ドレンパン１０ａは、実施の形態１にかかるドレンパン１０と同様にドレン水５１を貯留する機能を有するが、第１素子固定レール３２ａとは別体とされている。通常設置状態において、ドレンパン１０ａは、第１水平板１１に固定された第１素子固定レール３２ａに嵌め合いによって固定されている。ドレンパン１０ａは、熱交換素子６が筐体１の外部に取り外された状態において、第１素子固定レール３２ａの側部および上面の一部を覆う状態で第１素子固定レール３２ａに嵌め込まれることで第１素子固定レール３２ａに固定される。すなわち、ドレンパン１０ａは、製品出荷時には筐体１を構成する板金部品である第１水平板１１に対して第１素子固定レール３２ａが取り付けられた後に、第１素子固定レール３２ａに取り付けられる。そして、第１素子固定レール３２ａに熱交換素子６の下部が嵌められることで、熱交換素子６の下部が第１素子固定レール３２ａによって固定される。
【００６０】  ドレンパン１０ａは、通常設置状態では第１素子固定部である第１素子固定レール３２ａに固定されるため、本実施の形態２にかかる熱交換型換気装置の通常設置状態における熱交換素子６、第１水平板１１、第２水平板１２、第１素子固定レール３２ａ、第２素子固定レール３３ａ、ドレンパン１０ａ、給気側エアフィルター８および排気側エアフィルター９の位置関係は、図４において、第１素子固定レール３２を第１素子固定レール３２ａに置き換え、第２素子固定レール３３を第２素子固定レール３３ａに置き換え、ドレンパン１０ドレンパン１０ａに置き換えた構成となる。
【００６１】  また、天地逆転設置状態において、ドレンパン１０ａは、図７および図８に示すように第２水平板１２に固定された第２素子固定レール３３ａに固定されている。本実施の形態２にかかる熱交換型換気装置が天地逆転設置状態で設置される場合には、ドレンパン１０ａの配置が通常設置状態から変更される。すなわち、ドレンパン１０ａは、熱交換素子６が筐体１の外部に取り外された状態において、第１素子固定レール３２ａから取り外され、第２素子固定レール３３ａの側部および上面の一部を覆う状態で第２素子固定レール３３ａの上方から第２素子固定レール３３ａに嵌め込まれることで図７および図８に示すように第２素子固定レール３３ａに固定される。すなわち、ドレンパン１０ａは、天地逆転設置状態では第２水平板１２に固定されている第２素子固定レール３３ａに対して固定されることで第２水平板１２に固定される。そして、熱交換素子６が筐体１内に戻されて、第２素子固定レール３３ａに熱交換素子６の下部が嵌められることで、熱交換素子６の下部が第２素子固定レール３３ａによって固定される。
【００６２】  上述した本実施の形態２にかかる熱交換型換気装置は、天地逆転設置状態においてもドレンパン１０ａを熱交換素子６の鉛直下方の位置に取り付けることができるため、実施の形態１の場合と同様の効果を有する。
【００６３】  また、本実施の形態２にかかる熱交換型換気装置は、実施の形態１にかかる熱交換型換気装置１００と比較して、天地逆転設置状態で設置する場合に、第１素子固定レール３２ａおよび第２素子固定レール３３ａを設置現場で付け替える手間を省くことができ、ドレンパン１０ａの付け替え作業を軽減することができる。
【００６４】  以上の実施の形態に示した構成は、本発明の内容の一例を示すものであり、別の公知の技術と組み合わせることも可能であるし、本発明の要旨を逸脱しない範囲で、構成の一部を省略、変更することも可能である。
【符号の説明】
【００６５】  １  筐体、２  給気用送風機、３  給気用モーター、４  排気用送風機、５  排気用モーター、６  熱交換素子、７  枠部、８  給気側エアフィルター、９  排気側エアフィルター、１０，１０ａ  ドレンパン、１１  第１水平板、１２  第２水平板、１３  第１側板、１４  第２側板、１５  第３側板、１６  第４側板、１７  室外吸込口、１８  室内吹出口、１９  室内吸込口、２０  室外吹出口、２１  給気風路、２１ａ  熱交換前給気風路、２１ｂ  熱交換後給気風路、２１ｃ  素子内給気風路、２２  排気風路、２２ａ  熱交換前排気風路、２２ｂ  熱交換後排気風路、２２ｃ  素子内排気風路、２３  メンテナンス口、３１ａ  フィルター保持レール、３１ｂ  フィルター保持レール、３２，３２ａ  第１素子固定レール、３３，３３ａ  第２素子固定レール、３４  第３素子固定レール、３５  第４素子固定レール、３６  素子固定レール、４１  天井、４２  天井裏、４３  室内、５１  ドレン水、１００  熱交換型換気装置。
【図１】
2019146116.tif 000003
【図２】
2019146116.tif 000004
【図３】
2019146116.tif 000005
【図４】
2019146116.tif 000006
【図５】
2019146116.tif 000007
【図６】
2019146116.tif 000008
【図７】
2019146116.tif 000009
【図８】
2019146116.tif 000010
【国際調査報告】
2019146116.tif 000011
2019146116.tif 000012
2019146116.tif 000013
2019146116.tif 000014